(57)【要約】  有害な変動クロストークに影響されることなく容易に動作しうる受信機設計を可能にしつつ、少なくとも送信電力節減を提供するマルチキャリア送受信機のための安定した低電力モード（ＬＰＭ）について記述する。例示の一実施の形態では、ＬＰＭは、実際にこれらサブキャリア上で電力削減を実行するのではなく、使用サブキャリア数を減少させることにより電力節減を達成するので、クロストークモデムがＬＰＭにあるかどうかにかかわらず、受信機はＳＮＲまたは雑音レベルを測定して、ライン上のクロストーク雑音を決定することができる。
2011504709.tif 000002
【特許請求の範囲】
【請求項１】
通信システムであって、
第一送受信機と、
前記第一送受信機に接続されて動作する第二送受信機とを備え、
低電力モードの間は、全電力モードで送信されるサブキャリアのサブセットだけが送信され、前記キャリアのサブセットは、前記全電力モードのときと同一の電力レベルで送信される通信システム。
【請求項２】
低電力モードを有する通信システムであって、
第一送受信機と、
複数のサブキャリア上で、かつ第一電力レベルで前記第一送受信機に接続されて動作し、通信する第二送受信機とを備え、
前記低電力モードの間は、前記複数のサブキャリアのサブセットが前記第一電力レベルで送信される通信システム。
【請求項３】
前記サブセットは、前記全電力モードで使用されるＮ番目毎のサブキャリアと定義され、Ｎは正の整数である請求項１のシステム。
【請求項４】
前記サブセットは、前記第一電力レベルで使用されるＮ番目毎のサブキャリアと定義され、Ｎは正の整数である請求項２のシステム。
【請求項５】
低電力モードを構成するマルチキャリア受信機内のシステムであって、前記低電力モードで使用するための全電力モードの間に使用される前記サブキャリアのサブセットを定義するサブキャリア管理モジュールを備え、前記サブセットは、前記全電力モードで使用されるＮ番目毎のサブキャリアと定義され、Ｎは正の整数であるシステム。
【請求項６】
一つ以上のｘＤＳＬ送受信機を構成するために使用される管理インターフェースにＮの値が入力される請求項５のシステム。
【請求項７】
前記入力がサービスプロバイダにより実行される請求項６のシステム。
【請求項８】
複数のサブキャリアを受信できるマルチキャリア送受信機において、前記複数のサブキャリアの信号対雑音比（ＳＮＲ）を決定する方法であって、前記複数のサブキャリアの第一サブセットの前記ＳＮＲを測定することと、少なくとも前記測定したＳＮＲを用いて、前記複数のサブキャリアの第二サブセットのＳＮＲを推定することとを含む方法。
【請求項９】
複数のサブキャリアを受信できるマルチキャリア送受信機において、前記複数のサブキャリアの雑音レベルを決定する方法であって、前記複数のサブキャリアの第一サブセットの前記雑音レベルを測定することと、少なくとも前記測定した雑音を用いて、前記複数のサブキャリアの第二サブセットの雑音レベルを推定することとを含む方法。
【請求項１０】
複数のサブキャリアを受信できるマルチキャリア送受信機において、前記複数のサブキャリアの第一サブセットの信号対雑音比（ＳＮＲ）を測定でき、かつ、少なくとも前記測定したＳＮＲを用いて前記複数のサブキャリアの第二サブセットの前記ＳＮＲを推定できる受信機部を備えるマルチキャリア送受信機。
【請求項１１】
複数のサブキャリアを受信できるマルチキャリア送受信機であって、前記複数のサブキャリアの第一サブセットの雑音レベルを測定でき、かつ、少なくとも前記測定した雑音を用いて前記複数のサブキャリアの第二サブセットの雑音レベルを推定できる受信機部を備えるマルチキャリア送受信機。
【請求項１２】
複数のサブキャリアを受信できるマルチキャリア送受信機であって、前記複数のサブキャリアの第一サブセットの信号対雑音比（ＳＮＲ）を測定する手段と、少なくとも前記測定したＳＮＲを用いて前記複数のサブキャリアの第二サブセットの前記ＳＮＲを推定する手段とを備えるマルチキャリア送受信機。
【請求項１３】
複数のサブキャリアを受信できるマルチキャリア送受信機であって、前記複数のサブキャリアの第一サブセットの雑音レベルを測定する手段と、少なくとも前記測定した雑音を用いて前記複数のサブキャリアの第二サブセットの雑音レベルを推定する手段とを備えるマルチキャリア送受信機。
【請求項１４】
本発明の更なる態様は、前記第一サブセットが複数のサブキャリア内のＮ番目毎のサブキャリアと定義され、Ｎは正の整数である上記態様のいずれかに関する。
【請求項１５】
前記測定が初期化中に実行される請求項８〜１４のいずれか一つのマルチキャリア送受信機。
【請求項１６】
前記測定が、ユーザーデータ送信中であるショータイム中に実行される、請求項８〜１４のいずれか一つのマルチキャリア送受信機。
【請求項１７】
マルチキャリア受信機内で第一サブキャリアの第一ＳＮＲを決定する方法であって、第二サブキャリアの第二ＳＮＲを測定または決定することと、少なくとも前記第二ＳＮＲを用いて前記第一ＳＮＲを決定することとを含む方法。
【請求項１８】
マルチキャリア受信機内で第一サブキャリアの第一ＳＮＲを決定する方法であって、第二サブキャリアの雑音レベルを測定または決定することと、少なくとも前記雑音レベルを用いて前記第一ＳＮＲを決定することとを含む方法。
【請求項１９】
マルチキャリア受信機内で複数のサブキャリアの内の第一サブキャリアの第一ＳＮＲを決定する方法であって、前記複数のサブキャリアの内の第二サブキャリアの雑音レベルを測定または決定することと、少なくとも前記雑音レベルを用いて前記第一ＳＮＲを決定することとを含む方法。
【請求項２０】
マルチキャリア受信機内で第一サブキャリアの第一ＳＮＲを測定する手段であって、第二サブキャリアの第二ＳＮＲを測定または決定することと、少なくとも前記第二ＳＮＲを用いて前記第一ＳＮＲを決定する手段とを含む手段。
【請求項２１】
マルチキャリア受信機内で第一サブキャリアの第一ＳＮＲを決定する手段であって、第二サブキャリアの雑音レベルを測定または決定することと、少なくとも前記雑音レベルを用いて前記第一ＳＮＲを決定する手段とを含む手段。
【請求項２２】
マルチキャリア送受信機であって、マルチキャリア受信機内で第一サブキャリアの第一ＳＮＲを決定でき、かつ第二サブキャリアの第二ＳＮＲを測定または決定でき、かつ少なくとも前記第二ＳＮＲを用いて前記第一ＳＮＲを決定できるマルチキャリア送受信機。
【請求項２３】
マルチキャリア送受信機であって、マルチキャリア受信機内で第一サブキャリアの第一ＳＮＲを決定でき、かつ第二サブキャリアの雑音レベルを測定または決定でき、かつ少なくとも前記第二雑音レベルを用いて前記第一ＳＮＲを決定できる、マルチキャリア送受信機。
【請求項２４】
低電力モードで複数のサブキャリアを送信できるマルチキャリア送受信機であって、前記低電力モード法は、全電力モードで送信されるサブキャリアのサブセットを前記低電力モード中に送信することを含み、前記低電力モードで送信する前記サブキャリアは、前記全電力モードで送信される電力レベルと同一の電力レベルで送信されるマルチキャリア送受信機。
【請求項２５】
複数のサブキャリアを送信できるマルチキャリア送受信機であって、全電力モードで送信されるサブキャリアのサブセットを低電力モード中に送信できる送信機部を備え、前記低電力モードで送信されるサブキャリアは、前記全電力モードで送信される電力レベルと同一の電力レベルで送信されるマルチキャリア送受信機。
【請求項２６】
複数のサブキャリアを送信できるマルチキャリア送受信機であって、全電力モードで送信されるサブキャリアのサブセットを低電力モード中に送信する手段を備え、前記低電力モードで送信されるサブキャリアは、前記全電力モードで送信される電力レベルと同一の電力レベルで送信されるマルチキャリア送受信機。
【請求項２７】
前記サブセットが前記全電力モードで使用されるＮ番目毎のサブキャリアと定義され、Ｎは正の整数である請求項１７〜２６のいずれか一つのマルチキャリア送受信機。
【請求項２８】
全電力モードで送信されるサブキャリアのサブセットを用いることにより、電力節減を達成するマルチキャリア通信で使用するための低電力モードであって、前記低電力モードで送信される前記サブキャリアのサブセットは、前記全電力モードと同一の電力レベルで送信される低電力モード。
【請求項２９】
前記サブセットが前記全電力モードで使用されるＮ番目毎のサブキャリアと定義され、Ｎは正の整数である請求項２８の低電力モード。
【請求項３０】
前記サブセットは前記全電力モードで送信される前記サブキャリアの内のいずれか二つ以上と定義される請求項２８の低電力モード。
【請求項３１】
第一電力レベルで複数のサブキャリアを経由して通信するマルチキャリア送受信機において、低電力モードに入る方法であって、
前記低電力モードのときに使用すべき一つ以上のキャリアを識別することと、
前記識別子キャリアのＳＮＲを測定することと、
非識別キャリアのＳＮＲを推定することと、
ビット読込みのために、前記測定ＳＮＲと推定ＳＮＲのいずれかまたは両方を用いることと、
前記識別したキャリアを用いて通信することとを含む方法。
【請求項３２】
前記第一電力レベルは全電力レベルである請求項３１の方法。
【請求項３３】
前記識別キャリアは前記複数のキャリアのサブセットである請求項３１の方法。
【請求項３４】
前記キャリアのサブセットは前記第一電力レベルで送信される請求項３３の方法。
【請求項３５】
前記サブセットは前記複数のサブキャリアのＮ番目毎のサブキャリアと定義され、Ｎは正の整数である請求項３３の方法。
【請求項３６】
前記サブセットが前記第一電力レベルで送信される前記サブキャリアの内のいずれか二つ以上と定義される請求項３３の方法。
【請求項３７】
前記第一電力レベルは全電力レベルである請求項３３の方法。
【請求項３８】
前記識別キャリアは前記低電力モードのときの通信に使用される請求項３１の方法。
【請求項３９】
前記ビット読込みは初期化またはショータイムの間に実行される請求項３１の方法。
【請求項４０】
第一電力レベルで複数のサブキャリアを経由して通信するマルチキャリア送受信機において、低電力モードに入る方法であって、
前記低電力モードのときに使用すべき一つ以上のキャリアを識別することと、
前記識別子キャリアの雑音レベルを測定するステップと、前記識別キャリアのＳＮＲを測定することと、
非識別キャリアの雑音レベルを推定することと、
ビット読込みのために、前記識別キャリアの前記測定ＳＮＲと、前記非識別キャリアの前記推定ＳＮＲのいずれかまたは両方を用いることと、
前記識別したキャリアを用いて通信することとを含む方法。
【請求項４１】
初期化かショータイムのいずれかまたは両方の間に、前記非識別キャリアの受信信号電力レベルを測定することを更に含む請求項４０の方法。
【請求項４２】
前記測定した受信信号電力レベルおよび前記推定した雑音レベルを用いて、前記非識別キャリアのＳＮＲを推定することを更に含む請求項４１の方法。
【請求項４３】
前記第一電力レベルは全電力レベルである請求項４０の方法。
【請求項４４】
前記識別キャリアは前記複数のキャリアのサブセットである請求項４０の方法。
【請求項４５】
前記キャリアのサブセットは前記第一電力レベルで送信される請求項４４の方法。
【請求項４６】
前記サブセットは前記複数のサブキャリアのＮ番目（Ｎは正の整数）毎のサブキャリアと定義される請求項４４の方法。
【請求項４７】
前記サブセットは前記第一電力レベルで送信される前記サブキャリアの内のいずれか二つ以上と定義される請求項４４の方法。
【請求項４８】
前記第一電力レベルは全電力レベルである請求項４４の方法。
【請求項４９】
請求項８、９、１５、１６、１７、１８、１９、３１〜４８および７２〜７４の内のいずれか一つ以上のステップを実行する一つ以上の手段。
【請求項５０】
請求項８、９、１５、１６、１７、１８、１９、３１〜４８および７２〜７４の内のいずれか一つ以上の方法ステップを実行する命令をその上に格納するコンピュータで読取り可能な格納媒体。
【請求項５１】
第一電力レベルで複数のサブキャリアを経由して通信し、低電力モードで動作できるマルチキャリア送受信機であって、
前記低電力モードのときに使用すべき一つ以上のキャリアの指示を受信するサブキャリア管理モジュールと、前記識別キャリアのＳＮＲを測定するＳＮＲ測定モジュールと、
非識別キャリアのＳＮＲを推定するＳＮＲ推定モジュールと、
ビット読込みのために前記測定ＳＮＲか前記推定ＳＮＲの内のいずれかまたは両方を使用するビット読込みモジュールと、
を備えるマルチキャリア送受信機。
【請求項５２】
前記第一電力レベルは全電力レベルである請求項５１の送受信機。
【請求項５３】
前記識別キャリアは前記複数のキャリアのサブセットである請求項５１の送受信機。
【請求項５４】
前記キャリアのサブセットは前記第一電力レベルで送信される請求項５３の送受信機。
【請求項５５】
前記サブセットは前記複数のサブキャリアのＮ番目毎のサブキャリアと定義され、Ｎは正の整数である請求項５３の送受信機。
【請求項５６】
前記サブセットは前記第一電力レベルで送信される前記サブキャリアの内のいずれか二つ以上と定義される請求項５３の送受信機。
【請求項５７】
前記第一電力レベルは全電力レベルである請求項５３の送受信機。
【請求項５８】
前記識別キャリアは前記低電力モードのときの通信に使用される請求項５１の送受信機。
【請求項５９】
前記ビット読込みは初期化またはショータイムの間に実行される請求項５１の送受信機。
【請求項６０】
第一電力レベルで複数のサブキャリアを経由して通信し、低電力モードで動作できるマルチキャリア送受信機であって、
前記低電力モードのときに使用すべき一つ以上のキャリアの指示を受信するサブキャリア管理モジュールと、
前記識別キャリアの雑音レベルを測定する雑音測定モジュールと、
前記識別キャリアのＳＮＲを測定するＳＮＲ測定モジュールと、
非識別キャリアの雑音レベルを推定する雑音推定モジュールと、
ビット読込みのために、前記識別キャリアの前記測定ＳＮＲか前記非識別キャリアの前記推定ＳＮＲの内のいずれかまたは両方を使用するビット読込みモジュールと、
を備えるマルチキャリア送受信機。
【請求項６１】
初期化かショータイムのいずれかまたは両方の間に、前記非識別キャリアの受信信号電力レベルを測定する電力レベル測定モジュールを更に備える請求項６０の送受信機。
【請求項６２】
前記ＳＮＲ推定モジュールは更に、前記測定した受信信号電力レベルおよび前記推定雑音レベルを用いて、前記非識別キャリアのＳＮＲを推定する請求項６１の送受信機。
【請求項６３】
前記第一電力レベルは全電力レベルである請求項６０の送受信機。
【請求項６４】
前記識別キャリアは前記複数のキャリアのサブセットである請求項６０の送受信機。
【請求項６５】
前記キャリアのサブセットは前記第一電力レベルで送信される請求項６４の送受信機。
【請求項６６】
前記サブセットは前記複数のサブキャリアのＮ番目毎のサブキャリアと定義され、Ｎは正の整数である請求項６４の送受信機。
【請求項６７】
前記サブセットは前記第一電力レベルで送信される前記サブキャリアの内のいずれか二つ以上と定義される請求項６４の送受信機。
【請求項６８】
前記第一電力レベルは全電力レベルである請求項６４の送受信機。
【請求項６９】
前記識別キャリアと対応する情報をサブキャリアテーブルに格納する請求項６０の送受信機。
【請求項７０】
全電力モードで送信されるサブキャリアのサブセットを用いて電力節減を達成するマルチキャリア通信で使用するための低電力モードであって、前記低電力モードで送信される前記サブキャリアのサブセットが前記全電力モードのときと同一電力レベルで送信される低電力モード。
【請求項７１】
前記サブセットは、前記全電力モードで使用されるＮ番目毎のサブキャリアと定義され、Ｎは正の整数である請求項７０の低電力モード。
【請求項７２】
低電力モードを構成する方法であって、前記低電力モードで使用するための、全電力モードのときに使用されるサブキャリアのサブセットを定義するステップを含み、前記サブセットは、前記全電力モードで使用されるＮ番目毎のサブキャリアと定義され、Ｎは正の整数である方法。
【請求項７３】
ｘＤＳＬ送受信機を構成するために使用される管理システムに前記Ｎの値を入力することを更に含む請求項７２の方法。
【請求項７４】
前記入力がサービスプロバイダにより実行されることを更に含む、請求項７３の方法。
【発明の詳細な説明】
【関連出願のクロスリファレンス】
【０００１】
本願は、２００７年１１月２１日出願の米国特許出願第６０／９８９，５４２号、発明の名称「Stable Low Power Mode for Multicarrier Transceivers（マルチキャリア送受信機のための安定した低電力モード）」および、２００８年１月１６日出願の米国特許出願第６１／０１１，２６７号、発明の名称「Stable Low Power Mode for Multicarrier Transceivers - Second Edition（マルチキャリア送受信機のための安定した低電力モード・第二版）」に対する３５Ｕ．Ｓ．Ｃ．§１１９（ｅ）の特典および優先権を主張し、両出願の全文を引用して本明細書に組み込む。
【背景】
【０００２】
発明の分野
本発明は、一般に、通信システムに関する。より詳細には、本発明の例示の実施の形態は、通信環境、特にｘＤＳＬ環境における電力消費節減に関する。
【概要】
【０００３】
本発明の例示の態様は、有害な変動クロストークに影響されることなく容易に動作しうる受信機設計を可能にしつつ、少なくとも送信電力節減を提供するマルチキャリア送受信機のための安定した低電力モード（Low Power Mode：ＬＰＭ）に関する。例示の一実施の形態では、ＬＰＭは、実際にこれらサブキャリア上で電力削減を実行するのではなく、使用サブキャリア数を減少させることにより電力節減を達成するので、クロストークしているモデムがＬＰＭにあるかどうかにかかわらず、受信機はＳＮＲまたは雑音レベルを測定し、ライン上のクロストーク雑音を決定することができる。
【０００４】
低電力モードの一問題点は、送信電力レベルの変化が隣接ラインへのクロストークを変化させるということである。これは、ビットエラーの原因となりうる非定常の、つまり変動するクロストークを生じ、バインダ内の他のＤＳＬ接続において再調整することもある。
【０００５】
ＬＰＭに起因する変動クロストークによる問題の内で最も一般的な例を以下に挙げる：
１．クロストーク送受信機がＬＰＭのときに初期化を実行してしまう。クロストーク送受信機がＬＰＭにある場合には、初期化を実行する送受信機は、クロストーク送受信機がＬＰＭであるため良好なＳＮＲを有するサブチャンネルにビットを割り当てる可能性があるが、クロストーク送受信機が通常の（全電力）動作に戻るとＳＮＲが非常に悪くなってしまう。したがって、クロストーク送受信機がＬＰＭでなくなると、送受信機が多くのビットエラーを発生し、再調整の実施が必要となることもある。
【０００６】
２．クロストーク送受信機がＬＰＭのときに、オンライン再構築（On-Line reconfigurations：ＯＬＲ）（例えば、ビットスワップ、ＳＲＡ等）を実行してしまう。クロストーク送受信機がＬＰＭにある場合には、ＯＬＲを実行する送受信機は、クロストーク送受信機がＬＰＭであるため良好なＳＮＲを有するサブチャンネルにビットを割り当てる可能性があるが、クロストーク送受信機が通常の（全電力）動作に戻るとＳＮＲが非常に悪くなってしまう。したがって、クロストーク送受信機がＬＰＭでなくなると、送受信機は多くのビットエラーを発生し、再調整の実施が必要となることもある。
【０００７】
例示の実施形態によれば、ＬＰＭにより、有害な変動クロストークに影響されることなく動作しうる受信機設計が可能になると同時に、送信電力節減が提供される。このＬＰＭは、実際にこれらサブキャリア上で電力削減を実行せずに、使用サブキャリア数を減少させることにより電力節減を達成するので、クロストークモデムがＬＰＭにあるかどうかにかかわらず、ライン上のクロストーク雑音を決定することができる。これらのサブキャリアに電力削減を実行して、更なる電力節減を達成してもよい。
【０００８】
本発明の態様は上記のように電力削減に関する。
【０００９】
本発明の更なる態様はモデムの電力削減に関する。
【００１０】
本発明の更なる態様はｘＤＳＬモデムの電力節減に関する。
【００１１】
更なる態様はマルチキャリア送受信機の電力節減に関する。
【００１２】
更なる態様は、複数のサブキャリアを受信できるマルチキャリア送受信機であって、複数のサブキャリアの信号対雑音比（ＳＮＲ）を決定する方法が、複数のサブキャリアの第一サブセットのＳＮＲを測定することと、少なくとも前記ＳＮＲ測定値を用いて複数のサブキャリアの第二サブセットのＳＮＲを推定することとを含むマルチキャリア送受信機に関する。
【００１３】
更なる態様は、複数のサブキャリアを受信できるマルチキャリア送受信機であって、複数のサブキャリアの雑音レベルを決定する方法が、複数のサブキャリアの第一サブセットの雑音レベルを測定することと、少なくともその雑音測定値を用いて複数のサブキャリアの第二サブセットの雑音レベルを推定することとを含むマルチキャリア送受信機に関する。
【００１４】
更なる態様は、複数のサブキャリアを受信できるマルチキャリア送受信機であって、複数のサブキャリアの第一サブセットの信号対雑音比（ＳＮＲ）を測定でき、かつ少なくとも前記ＳＮＲ測定値を用いて複数のサブキャリアの第二サブセットのＳＮＲを推定できる受信機部を備える、マルチキャリア送受信機に関する。
【００１５】
更なる態様は、複数のサブキャリアを受信できるマルチキャリア送受信機であって、複数のサブキャリアの第一サブセットの雑音レベルを測定でき、かつ少なくともその雑音測定値を用いて複数のサブキャリアの第二サブセットの雑音レベルを推定できる受信機部を備えるマルチキャリア送受信機に関する。
【００１６】
更なる態様は、複数のサブキャリアを受信できるマルチキャリア送受信機であって、複数のサブキャリアの第一サブセットの信号対雑音比（ＳＮＲ）を測定する手段と、少なくとも前記ＳＮＲ測定値を用いて複数のサブキャリアの第二サブセットのＳＮＲを推定する手段とを備えるマルチキャリア送受信機に関する。
【００１７】
更なる態様は、複数のサブキャリアを受信できるマルチキャリア送受信機であって、複数のサブキャリアの第一サブセットの雑音レベルを測定する手段と、少なくとも前記雑音測定値を用いて複数のサブキャリアの第二サブセットの雑音レベルを推定する手段とを備えるマルチキャリア送受信機に関する。
【００１８】
本発明の更なる態様は、前記第一サブセットが複数のサブキャリア内のＮ番目毎のサブキャリアと定義され、Ｎは正の整数である上記態様のいずれかに関する。
【００１９】
本発明の更なる態様は、測定が初期化中に実行される上記態様のいずれかに関する。
【００２０】
本発明の更なる態様は、測定がショータイム、例えばユーザーデータ送信中に実行される上記態様のいずれかに関する。
【００２１】
更なる態様は、マルチキャリア受信機内で第一サブキャリアの第一ＳＮＲを決定する方法であって、第二サブキャリアの第二ＳＮＲを測定または決定することと、少なくとも前記第二ＳＮＲを用いて第一ＳＮＲを決定することとを含む方法に関する。
【００２２】
本発明の更なる態様は、マルチキャリア受信機内で第一サブキャリアの第一ＳＮＲを決定する方法であって、第二サブキャリアの雑音レベルを測定または決定することと、少なくとも前記雑音レベルを用いて第一ＳＮＲを決定することとを含む方法に関する。
【００２３】
更なる態様は、マルチキャリア受信機内で第一サブキャリアの第一ＳＮＲを決定する手段であって、第二サブキャリアの第二ＳＮＲを測定または決定することと、少なくとも前記第二ＳＮＲを用いて第一ＳＮＲを決定する手段とを含む方法に関する。
【００２４】
本発明の更なる態様は、マルチキャリア受信機内で第一サブキャリアの第一ＳＮＲを決定する手段であって、第二サブキャリアの雑音レベルを測定または決定することと、少なくとも前記雑音レベルを用いて第一ＳＮＲを決定する手段とを含む手段に関する。
【００２５】
マルチキャリア送受信機であって、マルチキャリア受信機内で第一サブキャリアの第一ＳＮＲを決定でき、かつ第二サブキャリアの第二ＳＮＲを測定または決定でき、かつ少なくとも前記第二ＳＮＲを用いて前記第一ＳＮＲを決定できるマルチキャリア送受信機。
【００２６】
更なる態様は、マルチキャリア送受信機であって、マルチキャリア受信機内で第一サブキャリアの第一ＳＮＲを決定でき、かつ第二サブキャリアの雑音レベルを測定または決定でき、かつ少なくとも前記第二雑音レベルを用いて前記第一ＳＮＲを決定できるマルチキャリア送受信機に関する。
【００２７】
本発明の更なる態様は、低電力モードで複数のサブキャリアを送信できるマルチキャリア送受信機であって、前記低電力モード法は、全電力モードで送信されるサブキャリアのサブセットを低電力モード中に送信することを含み、低電力モードで送信するサブキャリアは、全電力モードで送信される電力レベルと同一の電力レベルで送信されるマルチキャリア送受信機に関する。
【００２８】
更なる態様は、複数のサブキャリアを送信できるマルチキャリア送受信機であって、全電力モードで送信されるサブキャリアのサブセットを低電力モード中に送信できる送信機部を備え、低電力モードで送信されるサブキャリアは、全電力モードで送信される電力レベルと同一の電力レベルで送信されるマルチキャリア送受信機に関する。
【００２９】
本発明の更なる態様は、複数のサブキャリアを送信できるマルチキャリア送受信機であって、全電力モードで送信されるサブキャリアのサブセットを低電力モード中に送信する手段を備え、低電力モードで送信されるサブキャリアは、全電力モードで送信される電力レベルと同一の電力レベルで送信されるマルチキャリア送受信機に関する。
【００３０】
本発明の更なる態様は、前記サブセットが全電力モードで使用されるＮ番目毎のサブキャリアと定義され、Ｎは正の整数である上記態様のいずれかに関する。
【００３１】
本発明の更なる態様は、全電力モードで送信されるサブキャリアのサブセットを用いることにより、電力節減を達成するマルチキャリア通信で使用するための低電力モードであって、低電力モードで送信されるサブキャリアのサブセットは、全電力モードと同一の電力レベルで送信される低電力モードに関する。
【００３２】
本発明の更なる態様は、前記サブセットが全電力モードで使用されるＮ番目毎のサブキャリアと定義され、Ｎは正の整数である、低電力モードに関する。
【００３３】
本発明の更なる態様は、低電力モードで使用するために全電力モード中に使用されるサブキャリアのサブセットを定義するステップを含む低電力モードを構成する方法であって、前記サブセットは、全電力モードで使用されるＮ番目毎のサブキャリアと定義され、Ｎは正の整数である、方法に関する。
【００３４】
本発明の更なる態様は、低電力モードを構成する方法であって、ＤＳＬ送受信機を構成するために使用する管理システムにＮの値を入力することを更に含む方法に関する。
【００３５】
更なる態様は、低電力モードを構成する方法であって、サービスプロバイダが入力を実行することを更に含む方法に関する。
【００３６】
本発明のこれらの特徴や他の特徴と利点を、以下の例示の実施の形態で詳細に説明し、明らかにする。
【図面の簡単な説明】
【００３７】
本発明の例示の実施の形態を以下の図を参照して詳細に説明する。
【図１】本発明による例示の通信システムを示す。
【図２】本発明による各モデムの例示の送信機部および受信機部を示す。
【図３】本発明による、規定されたキャリアを用いてＳＮＲを測定し、通信する例示の方法を示す。
【図４】本発明による、規定されたキャリアを用いて雑音を測定し、通信する例示の方法を示す。
【図５】本発明による、モデム間の通信をまとめた例示のフェンスポストダイヤグラムを示す。
【詳細な説明】
【００３８】
本発明の例示の実施形態をｘＤＳＬ環境における低電力モードと関連させて説明する。ただし、言うまでもなく、一般に、本発明のシステムおよび方法は、任意の環境で任意の通信プロトコルを用いる任意の形式の通信システムに対して等しく良好に動作する。
【００３９】
本発明の例示のシステムおよび方法も、ｘＤＳＬ、ＶＤＳＬモデム等のマルチキャリアモデム、および関連する通信ハードウエア、ソフトウエア、通信チャンネルと関連させて説明する。ただし、本発明をいたずらに曖昧にするのを避けるために、以下では、ブロック図形式で示されるか、または要約できる周知の構造および装置については説明を省略する。
【００４０】
説明が目的であるが、本発明に対する十分な理解を提供するために数多くの詳細について述べる。ただし、言うまでもなく、本発明は、本明細書で述べる特定の詳細を超える多様な方法で実施してもよい。
【００４１】
更に、本明細書で説明する例示の実施形態が配置される本システムの各種コンポーネントを示すが、言うまでもなく、本システムの各種コンポーネントを、通信ネットワークおよび／またはインターネット等の分散ネットワークの離れた部分に配置することができ、または専用の安全なシステムまたは安全でないシステムおよび／または暗号化システム内に配置することができる。したがって、言うまでもなく、本システムのコンポーネントを一つ以上のモデム等の装置に結合するか、または電気通信ネットワーク等の分散ネットワークの特定ノードに配置することができる。以下の説明から明らかなように、また計算効率の点からみても、本システムのコンポーネントを本システムの動作に影響を与えることなく、分散ネットワーク内の任意の場所に構築することができる。例えば、電話局モデム（ＣＯ、ＡＴＵ−Ｃ、ＶＴＵ−Ｏ）、加入者構内モデム（ＣＰＥ、ＡＴＵ−Ｒ、ＶＴＵ−Ｒ）、ｘＤＳＬ管理装置、またはそれらの組合せに、各種コンポーネントを配置することができる。同様に、モデムと関係計算装置との間に本システムの一つ以上の部分を分散させることができる。
【００４２】
更に、言うまでもなく、要素（幾つかは図示せず）間を接続する、通信チャンネルを含む各種リンクは、有線、無線、もしくはそれらの任意の組合せのリンク、または接続要素へ／からデータを供給／通信できる任意の他の公知要素もしくは今後開発される要素とすることができる。本明細書で用いられる用語「モジュール」は、その要素と関係する機能を実行できる任意の公知の、または今後開発されるハードウエア、ソフトウエア、ファームウエア、もしくはそれらの組合せを指す。本明細書で用いられる用語「決定」、「計算」およびそれらの組合せは、任意の種類の方法論、処理、数学的操作または技法と交換可能に用いられ、かつそれらを包含する。送信モデム、送受信機の送信機部、および受信モデム、送受信機の受信機部は本明細書で交換可能に用いられる。更に、用語「送受信機」および「モデム」は同一の意味であり、交換可能に用いられる。また、用語「送信機」および「送信モデム」も同一の意味であり交換可能に用いられ、「受信機」および「受信モデム」は同一の意味であって交換可能に用いられる。
【００４３】
更に、本明細書で説明する例示の実施の形態の幾つかは、特定の機能を実行する送受信機の送信機部に向けられているが、言うまでもなく、送受信機の受信部により、対応する補完機能が実行される。したがって、全ての実施例で詳細に説明してはいないが、この開示は、同一送受信機および／または別の送受信機の両方におけるこの対応する補完機能を含むよう意図している。
【００４４】
通信システム１は、一つ以上のリンクおよび一つ以上のネットワーク５により相互接続される送受信機１００および送受信機２００を備える。送受信機１００、２００はそれぞれ、周知のコンポーネントに加えて、図２で詳細に説明する送信機部および受信機部を含む。詳細には、送信機部１１０は、サブキャリア管理モジュール１２０、コントローラ／メモリ１３０、サブキャリアテーブル１４０およびビット負荷モジュール１５０を含む。受信機部２１０は、ＳＮＲ測定モジュール２２０、サブキャリア管理モジュール２３０、ＳＮＲ推定モジュール２４０、ビット負荷モジュール２５０、コントローラ／メモリ２５５、雑音測定モジュール２６０、雑音推定モジュール２７０、電力レベル測定モジュール２８０およびサブキャリアテーブル２９０を含む。送信機部１１０および受信機部２１０のいずれかまたは両方を、管理インターフェース３００に接続することもできる。送信機部１１０および受信機部２１０は、サブキャリア１〜Ｎが存在するリンクを介して接続される。
【００４５】
上記したように、本明細書で検討するシステム、方法、技法およびプロトコルは、全文を引用して本明細書に組み込むＡＤＳＬ２ ＩＴＵ−Ｔ Ｇ．９９３．２、ＡＤＳＬ２＋ＩＴＵ Ｇ．９９３．５およびＶＤＳＬ２ ＩＴＵ Ｇ．９９３．２で規定されるシステムのようなｘＤＳＬシステムとの関連で説明する。
【００４６】
動作において、アップストリーム（ＵＳ）かダウンストリーム（ＤＳ）チャンネルの一方または両方に対して、ＬＰＭのときに使用すべきサブキャリアが識別され、それを指示するメッセージがモデム間で交換される。更に、ＵＳかＤＳチャンネルのいずれかまたは両方に対するビット割り当てを含むメッセージが交換される。次いで、ＬＰＭのとき、送信機は、Ｎ番目毎のサブキャリアだけを送信用に用いて送信電力を低減する。ＬＰＭのときに送信されるサブキャリア毎の電力レベルは全電力モード（すなわち、電力削減がないとき）の場合と同一なので、１−１／Ｎの割合で送信電力節減が達成される。例えば、Ｎ＝１０の場合で、送信機が全電力モード（ＦＰＭ）のときに−４０ｄＢｍ／Ｈｚでサブキャリア３３〜２５５を送信したとすると、送信機はＬＰＭに−４０ｄｂｍ／Ｈｚでサブキャリア３３、４３、５３、．．．、２３３、２４３、２５３を送信することになる。これは、送信電力の１−１／１０＝９０％の削減になる。
【００４７】
例示の受信機２１０の動作
例示の実施の形態によれば、バインダ内の他の送受信機のＬＰＭが発生する有害な変動クロストークに影響されずに動作するように、受信機２１０は：
１．ＳＮＲ測定モジュール２２０と協働する受信機２１０は、初期化および／またはショータイム中に、（クロストーク送受信機がＬＰＭにあるかどうかにかかわらず）ＬＰＭのときに（サブキャリア管理モジュール２３０の管理に従い）送信用として規定されるこれらのサブキャリアのＳＮＲを測定する。
【００４８】
２．ＳＮＲ推定モジュール２４０と協働する受信機２１０は、少なくともこれらのＳＮＲ測定に基づいて、ＬＰＭのときの送信用として規定されていない中間のサブキャリアのＳＮＲを推定する。測定したサブキャリア間の距離は比較的小さく、すなわちN*4.315 kHzなので、受信機は、例えば単純な線形補間技術を用いて中間サブキャリアのＳＮＲを正確に推定できる。無線周波数干渉（ＲＦＩ）または同一バインダ内の他のサービスからの雑音等の他の雑音源（すなわち、クロストーク送受信機以外からの雑音）がある場合、ＳＮＲ推定モジュール２４０による中間キャリアのＳＮＲの推定は、例えば中間サブキャリアで行われる測定のような他の測定を基にすることもできる。例えば、中間サブキャリアのＳＮＲをＳＮＲ測定モジュール２２０で測定することもでき、クロストーク送受信機がＬＰＭのときに得られた中間サブキャリアのＳＮＲの情報を、ＳＮＲ推定モジュール２４０による推定に組み込むことができる。
【００４９】
更に、他の雑音源（打ち消されていないエコーや、符号間干渉またはチャンネル間干渉等のような雑音）を、ＳＮＲ推定モジュール２４０による中間サブキャリアのＳＮＲの推定に使用することもできる。
【００５０】
３．受信機２１０は、初期化および／またはショータイムＯＬＲ中に、ビット負荷モジュール２５０が実行するビット負荷アルゴリズムに対して、ＬＰＭサブキャリアの測定ＳＮＲおよび／または中間サブキャリアの推定ＳＮＲを使用する。
【００５１】
上記実施例を用いて、ＬＰＭのときの送信用にサブキャリア３３、４３、５３等が規定された場合、受信機２１０は、ＳＮＲ測定モジュール２２０を介してこれらのサブキャリアのＳＮＲを測定し、この測定したＳＮＲを用いて、中間サブキャリア、すなわち、３４〜４２、４４〜５２等のＳＮＲをＳＮＲ推定モジュール２４０を介して推定することになる。測定したサブキャリア間の距離は10*4.3125=43.125 kHz しかないので、単純な線形補間技術（コントローラ／メモリ２５５により実行できる）で十分な性能が得られる。
【００５２】
一般に、任意の方式の補間法を用いて中間サブキャリアのＳＮＲを推定することができる。例えば、送受信機は、ｉ番目の測定サブキャリアのＳＮＲとｉ＋Ｎ番目の測定サブキャリアのＳＮＲとを結ぶ直線として中間サブキャリアのＳＮＲを推定するように、線形補間法を用いることができる。これに代えて、例えば測定されるサブキャリア間のＳＮＲを推定するために、既知のＦＥＸＴ（遠端クロストーク）またはＮＥＸＴ（近端クロストーク）結合関数を使用することができる。
【００５３】
特記すべきは、受信機２１０がショータイムおよび初期化中に、ＬＰＭのときの送信用として規定されたこれらのサブキャリアのＳＮＲを測定し、これらの測定値を用いて、他のサブキャリアのＳＮＲを推定する場合、クロストーク送受信機がＬＰＭにあるかどうかは無関係ということである。これは、ＬＰＭのときの送信用に規定されたサブキャリアの電力レベルは、低電力モードでも全電力モードでも一定なので、これらのサブキャリア上で測定されたＳＮＲは、バインダ内の他の送受信機の電力モードに依存しないということである。したがって、受信機がこの方法でＳＮＲを測定する場合、全ての送受信機は、相互に変動クロストーク問題を起こさずに、可能な限り迅速にＬＰＭに入ったり抜けたりすることができる。
【００５４】
したがって、一実施形態では、バインダ内の別の送受信機が依然としてクロストークを推定できるように、ＬＰＭはサブキャリアのサブセットを使用する。
【００５５】
数値例 ＃１
以下のサブキャリアインデックス：２０、２１、２２、２３、２４、２５、２６、２７、２８、２９、３０で動作するマルチキャリアシステムを仮定する。Ｎ＝１０によるＬＰＭであって、ＬＰＭのときに送信されるサブキャリアがインデックス２０および３０を持つサブキャリアであると仮定する。サブキャリア２０のＳＮＲ測定値が２５ｄＢで、サブキャリア３０では１５ｄＢであると仮定する。単純な線形補間法を用いて中間サブキャリアのＳＮＲを推定する場合、サブキャリア２１、２２、２３、２４、２５、２６、２７、２８および２９の推定ＳＮＲはそれぞれ、２４ｄＢ、２３ｄＢ、２２ｄＢ、２１ｄＢ、２０ｄＢ、１９ｄＢ、１８ｄＢ、１７ｄＢおよび１６ｄＢとなる。
【００５６】
数値例 ＃２
以下のサブキャリアインデックス：２０、２１、２２、２３、２４、２５、２６、２７、２８、２９、３０で動作するマルチキャリアシステムを仮定する。Ｎ＝１０によるＬＰＭであって、ＬＰＭのときに送信されるサブキャリアがインデックス２０および３０を持つサブキャリアであると仮定する。サブキャリア２０のＳＮＲ測定値が２５ｄＢで、サブキャリア３０では１５ｄＢであると仮定する。更に、サブキャリア番号２５に影響を与える狭帯域ＲＦＩが存在し、このサブキャリアの測定ＳＮＲが２０ｄＢであると仮定する。このＲＦＩにより影響されない他の中間サブキャリア全てに、単純な線形補間法を用いる場合、サブキャリア２１、２２、２３、２４、２５、２６、２７、２８および２９の推定ＳＮＲはそれぞれ、２４ｄＢ、２３ｄＢ、２２ｄＢ、２１ｄＢ、１９ｄＢ、１８ｄＢ、１７ｄＢおよび１６ｄＢとなる。サブキャリア番号２５のＳＮＲは、ＲＦＩ雑音とＤＳＬクロストークとの結合の結果として推定できる。実施例として、ＤＳＬクロストークによる推定ＳＮＲが２０ｄＢで（上記数値例１で計算したように）、ＲＦＩによるＳＮＲが２０ｄＢである場合、この二つのＳＮＲの線形結合により、サブチャンネル２０の合計推定ＳＮＲは１７ｄＢという結果となる。
【００５７】
信号対雑音比（ＳＮＲ）に替わる雑音レベルの測定
ＳＮＲ測定モジュール２２０によるＳＮＲ測定に代えて、またはこれに追加して、受信機２１０は、サブキャリア管理モジュール２３０が、ＬＰＭのときの送信用として規定するサブキャリアの雑音レベルを、雑音測定モジュール２６０と協働して測定することができる。
【００５８】
例えば、バインダ内の他の送受信機のＬＰＭによって起きる有害な変動クロストークに影響されることなく動作するために、受信機２１０は：
１．初期化および／またはショータイム中に、雑音測定モジュール２６０と協働する受信機２１０は、ＬＰＭのときの送信用として規定されたこれらのサブキャリアの雑音レベルを（クロストーク送受信機がＬＰＭにあるかどうかにかかわらず）測定する。更に、ＳＮＲ測定モジュール２２０と協働する受信機２１０は、ＬＰＭのときの送信用として規定されたこれらのサブキャリアのＳＮＲを（クロストーク送受信機がＬＰＭにあるかどうかにかかわらず）測定する。
【００５９】
２．雑音推定モジュール２８０と協働する受信機２１０は、少なくともこれらの雑音測定に基づいて、ＬＰＭのときの送信用として規定されていない中間サブキャリアの雑音レベル（Ｎｉ）を推定する。測定したサブキャリア間の距離は比較的小さく、すなわちN*4.315 kHzなので、受信機は、例えば単純な線形補間技術を用いて中間サブキャリアの雑音レベルを正確に推定できる。無線周波数干渉（ＲＦＩ）またはバインダ内の他のサービスからの雑音等の他の雑音源（すなわち、クロストーク送受信機以外からの雑音）がある場合、中間キャリアの雑音の推定は、例えば中間サブキャリアで行われる測定のような他の測定を基にすることもできる。
【００６０】
例えば、中間サブキャリアの雑音を測定することもでき、クロストーク送受信機がＬＰＭにあるとき、得られた中間サブキャリアの雑音の情報を推定に組み込むことができる。更に、他の雑音源（打ち消されていないエコーや、符号間干渉またはチャンネル間干渉等のような雑音）を、中間サブキャリアの雑音の推定に使用することもできる。
【００６１】
３．電力レベル測定モジュール２８０と協働する受信機２１０は、初期化および／またはショータイム中に、中間サブキャリア（すなわちＬＰＭのときの送信用として規定されていないもの）の受信信号電力レベル（Ｐｉ）を測定する。
【００６２】
４．次いで、受信機２１０は、ＳＮＲ推定モジュール２４０と協働して、（ステップ３にて）測定した受信信号電力レベルおよび（ステップ２にて）推定した雑音レベルを用いて、中間サブキャリアのＳＮＲを推定する。例えば、受信機２１０は、サブキャリア毎に比率Ｐｉ／Ｎｉを求めてＳＮＲを推定することができる。
【００６３】
５．次に、受信機２１０は、初期化および／またはショータイムＯＬＲ中に、ビット負荷アルゴリズムに対して、ＬＰＭサブキャリアのＳＮＲおよび／または中間サブキャリアの推定ＳＮＲを使用する。
【００６４】
上記実施例を用いて、ＬＰＭのときの送信用としてサブキャリア３３、４３、５３等が規定された場合、受信機２１０は、これらのサブキャリアの雑音レベルを測定し、この測定したＳＮＲを用いて、中間サブキャリアすなわち、３４〜４２、４４〜５２等の雑音を推定することになる。測定したサブキャリア間の距離は10*4.3125=43.125 kHz しかないので、単純な線形補間技術で十分な性能が得られる。一般に、任意の方式の補間法を用いて中間サブキャリアの雑音レベルを推定することができる。例えば、送受信機は、ｉ番目の測定サブキャリアの雑音レベルとｉ＋Ｎ番目の測定サブキャリアの雑音レベルとを結ぶ直線として中間サブキャリアの雑音レベルを推定するように線形補間法を用いることができる。
【００６５】
代替として、例えば、測定されるサブキャリア間の雑音レベルを推定するために、既知のＦＥＸＴまたはＮＥＸＴの結合関数を使用することができる。次いで、受信機２１０は、これらのサブキャリアに対する推定雑音レベルおよび測定した信号電力レベルを用いて、サブキャリア３４〜４２、４４〜５２等のＳＮＲを推定する。
【００６６】
特記すべきは、受信機２１０がショータイムおよび初期化中に、ＬＰＭのときの送信用として規定されたこれらのサブキャリアの雑音レベルを測定し、これらの測定値（測定した受信信号電力レベルと併せて）を用いて、他のサブキャリアの雑音レベルを推定する場合、クロストーク送受信機がＬＰＭにあるかどうかは無関係ということである。これは、ＬＰＭのときの送信用に規定されたサブキャリアの電力レベルは、低電力モードでも全電力モードでも一定なので、これらのサブキャリア上で測定された雑音レベルは、バインダ内の他の送受信機の電力モードに依存しないということである。したがって、受信機がこの方法で雑音レベルを測定する場合、全ての送受信機は、相互に変動クロストーク問題を起こさずに、可能な限り迅速にＬＰＭに入ったり抜けたりすることができる。
【００６７】
したがって、一実施の形態では、バインダ内の別の送受信機がクロストークを依然として推定できるように、ＬＰＭはサブキャリアのサブセットを使用する。
【００６８】
数値例 ＃３
以下のサブキャリアインデックス：２０、２１、２２、２３、２４、２５、２６、２７、２８、２９、３０で動作するマルチキャリアシステムを仮定する。Ｎ＝１０によるＬＰＭであって、ＬＰＭのときに送信されるサブキャリアがインデックス２０および３０を持つサブキャリアであると仮定する。サブキャリア２０の雑音レベル測定値が−５５ｄＢｍ／Ｈｚ ｄＢで、サブキャリア３０では−６５ｄＢｍ／Ｈｚ ｄＢであると仮定する。受信信号電力レベルは−８０ｄＢｍ／Ｈｚで平坦であると仮定する。例えば、単純な線形補間法を用いて中間サブキャリアの雑音を推定する場合、サブキャリア２１、２２、２３、２４、２５、２６、２７、２８および２９の推定雑音はそれぞれ、−５６ｄＢｍ／Ｈｚ、−５７ｄＢｍ／Ｈｚ、−５８ｄＢｍ／Ｈｚ、−５９ｄＢｍ／Ｈｚ、−６０ｄＢｍ／Ｈｚ、−６１ｄＢｍ／Ｈｚ、−６２ｄＢｍ／Ｈｚ、−６３ｄＢｍ／Ｈｚ、−６４ｄＢｍ／Ｈｚとなる。−８０ｄＢｍ／Ｈｚの受信信号電力レベルに基づくこの雑音推定を用いると、サブキャリア２１、２２、２３、２４、４６、２６、２７、２８および２９の推定ＳＮＲはそれぞれ、２４ｄＢ、２３ｄＢ、２２ｄＢ、２１ｄＢ、２０、１９ｄＢ、１８ｄＢ、１７ｄＢおよび１６ｄＢとなる。
【００６９】
数値例 ＃４
以下のサブキャリアインデックス：２０、２１、２２、２３、２４、２５、２６、２７、２８、２９、３０で動作するマルチキャリアシステムを仮定する。Ｎ＝１０によるＬＰＭであって、ＬＰＭのときに送信されるサブキャリアがインデックス２０および３０を持つサブキャリアであると仮定する。サブキャリア２０の雑音レベル測定値が−５５ｄＢｍ／Ｈｚ ｄＢで、サブキャリア３０では−６５ｄＢｍ／Ｈｚ ｄＢであると仮定する。受信信号電力レベルは−８０ｄＢｍ／Ｈｚで平坦であると仮定する。さらに、サブキャリア番号２５に影響する狭帯域ＲＦＩが存在し、このサブキャリアの測定雑音が−６０ｄＢｍ／ＶＨｚであると仮定する。そのＲＦＩにより影響されない他の中間サブキャリア全てに、例えば、単純な線形補間法を用いて、中間サブキャリアの雑音を推定する場合、サブキャリア２１、２２、２３、２４、２６、２７、２８および２９の推定雑音はそれぞれ、−５６ｄＢｍ／Ｈｚ、−５７ｄＢｍ／Ｈｚ、−５８ｄＢｍ／Ｈｚ、−５９ｄＢｍ／Ｈｚ、−６１ｄＢｍ／Ｈｚ、−６２ｄＢｍ／Ｈｚ、−６３ｄＢｍ／Ｈｚ、−６４ｄＢｍ／Ｈｚとなる。−８０ｄＢｍ／Ｈｚの受信信号電力レベルに基づくこの雑音推定を用いると、サブキャリア２１、２２、２３、２４、２６、２７、２８および２９の推定ＳＮＲはそれぞれ、２４ｄＢ、２３ｄＢ、２２ｄＢ、２１ｄＢ、１９ｄＢ、１８ｄＢ、１７ｄＢおよび１６ｄＢとなる。サブキャリア番号２５の雑音は、ＲＦＩ雑音とＤＳＬクロストークとの結合の結果として推定できる。例として、ＤＳＬクロストークによる推定雑音が−６０ｄＢｍ／Ｈｚで（上記数値例３で計算したように）、ＲＦＩによる雑音が−６０ｄＢｍ／Ｈｚである場合、この二つの雑音の線形結合により、サブチャンネル２０の合計推定雑音は−６３ｄＢｍＨｚという結果となる。−８０ｄＢｍ／Ｈｚの受信信号電力レベルに基づいて得られるＳＮＲは、例えば、１７ｄＢとなる。
【００７０】
ＬＰＭのときに使用されるサブキャリアのサブセット
上記実施例では、ＬＰＭのときに使用されるサブキャリアのサブセットは、全電力モードのときに送信されたＮ番目毎のサブキャリアと定義されている。一般に、サブキャリアのサブセットには任意の定義を使用することができる。
【００７１】
例えば、Ｎサブキャリア毎に一つのサブキャリアだけを送信する代わりに、Ｎ番目のサブキャリア毎にＬ（Ｌ＞１）個のサブキャリアを送信してもよい。例えば、Ｌ＝３、Ｎ＝３０で、全数がＭ＝９０あり、１０から８９サブキャリアまで割り当てられている場合、以下のサブキャリア：１０、１１、１２、４０、４１、４２、７０、７１、７２を送信することができる。これにより、９０個から９個へサブキャリアの数が少なくなり、すなわち１０分の１に電力が節減できることになる。上記実施例におけるように、同一バインダ内の他の送受信機は、既知のサブキャリア番号（例えば、１０、１１、１２、４０、４１、４２等）のＳＮＲを測定し、中間サブキャリア（例えば、１３〜３９、４３〜６９等）のＳＮＲを推定することによりクロストークを決定する。例えば、他の送受信機は線形補間法を用いて中間サブキャリアのＳＮＲを推定することができる。一般に、任意の補間法を用いて中間サブキャリアのＳＮＲを推定することができる。例えば、中間サブキャリアのＳＮＲ推定に既知のＦＥＸＴまたはＮＥＸＴ結合関数を使用することができる。
【００７２】
一般に、サブキャリアインデックスのアレイからの値のサブセットを定義する任意のアルゴリズム法を用いて、ＬＰＭのときに使用するサブキャリアのサブセットを定義することができる。
【００７３】
これに代え、あるいはこれに加えて、ＬＰＭのときに使用されるサブキャリアのサブセットをサブキャリアインデックスのリストとして定義できる。例えば、１０〜８９にインデックスされた全部でＭ＝９０のサブキャリアがある場合、リストは「１３、２１、３４、５４、６０、７８、８８」等の任意の値をとることができる。
【００７４】
他の実施形態では、ＬＰＭのときに使用されるサブキャリアは固定されずに全時間にわたって変化する。この例示の実施形態は、サブキャリアスイープＬＰＭと呼ばれる。本実施形態では、サブキャリアの第一サブセットはＬＰＭのときの第一周期で使用され、サブキャリアの第二サブセットは第二周期の間に使用される。例えば、ＦＰＭのとき１〜１００にインデックスされる１００のサブキャリアがある場合、サブキャリア１〜１０は、第一周期で使用され（例えば、１秒または１０００ＤＭＴシンボル）、サブキャリア１１〜２１は、第二周期で使用される（例えば、１秒または１０００ＤＭＴシンボル）等である。よって、１０周期の後、１００のサブキャリア全てがＬＰＭのときに送出されたことになる。本方法の主な利点の一つは、１０周期の間にＳＮＲまたは雑音レベルを測定する受信機が、中間サブキャリアの推定または補間技術を必要とせずに、全てのサブキャリアのＳＮＲを（上記のように）決定できるということである。
【００７５】
ＬＰＭ用サブキャリアのサブセット定義
ＬＰＭのときに使用されるサブキャリアのサブセットは、以下の要素のいずれかにより定義できる：
−サービスプロバイダ（これは、バンドプラン、バインダ管理問題、規制問題等に基づいてサービスプロバイダがサブセットを定義できるという利点がある）
−最終ユーザ／顧客
−送信をアップストリームおよび／またはダウンストリームするためのＣＯモデム（例えば、ＶＴＵ−ＯまたはＡＴＵ−Ｃ）
−送信をアップストリームおよび／またはダウンストリームするためのＣＰＥモデム（例えば、ＶＴＵ−ＲまたはＡＴＵ−Ｒ）
−送信をダウンストリームするためのＣＰＥ受信機
−送信をアップストリームするためのＣＯ受信機
サービスプロバイダまたは最終ユーザが定義する場合、サブキャリアのサブセットを例えば、管理インターフェース３００を介して本システムに入力することができる。例えば、サービスプロバイダは、上記Ｎの値を定義することにより、サブキャリアのサブセットのインデックス値を入力することができる。例えば、サービスプロバイダは、ＬＰＭのときの送信にサブキャリア番号３３から開始してＮ＝１２番目毎のサブキャリアを使用する、ということを管理インターフェースを介して規定することができる。これに代えて、例えばサービスプロバイダは、ＬＰＭのときの送信にサブキャリア番号３３から開始してサブキャリア５１２まで、Ｎ＝１２番目毎のサブキャリアを使用し、サブキャリア番号６００から開始してサブキャリア９００まで、Ｎ＝６番目毎のサブキャリアを使用する、ということを管理インターフェースを介して規定することができる。これに代えて、例えば、上記実施例で説明したように、サービスプロバイダは、Ｎサブキャリア毎に送信すべき一つ以上のサブキャリアを管理インターフェース３００を介して規定することができる。これに代え、または加えて、サービスプロバイダは、ＬＰＭのときに使用すべきサブキャリアのリストにつき、例えばリストが［４５、５９、８８、１２３、１２９等］のような任意の値をとることができるように規定することができる。
【００７６】
サブキャリアスイープＬＰＭの場合には、サービスプロバイダはスイープ時間、すなわち、ＬＰＭのときのサブキャリアのサブセットを送信すべき周期を定義できる。例えば、サービスプロバイダは、ＬＰＭのときに、Ｓ＝１０のサブキャリアを送信すべきということ、およびそのスイープ時間は１００ｍｓとすべきということを規定することができる。この例示の構成では、ＬＰＭのときに、ＦＰＭからの最初の１０のサブキャリアを１００ｍｓの間送出し、次いで、次の１０のサブキャリアを次の１００ｍｓの間送出する等である。
【００７７】
送受信機（ＶＴＵ−Ｏ、ＶＴＵ−Ｒ、ＡＴＵ−ＣまたはＡＴＵ−Ｒ等）は、上記サービスプロバイダの実施例で説明したのと類似の方法でサブキャリアのサブセットを定義することもできる。
【００７８】
ＬＰＭパラメータに関するメッセージの送受信
サービスプロバイダまたはＣＯモデムが、ＬＰＭのときに使用すべきサブキャリアのサブセットを定義する場合、その情報を、図５との関連で後述するように、ＣＯモデム（例えば、ＡＴＵ−ＣまたはＶＴＵ−Ｏ）からＣＰＥ（例えば、ＲＴモデムまたはＡＴＵ−ＲまたはＶＴＵ−Ｒ）へ送出することができる。メッセージに含まれる情報は、サブキャリア管理モジュール２３０の指示のもとでサブキャリアテーブル２９０に格納することができ、ＬＰＭのときに使用すべきサブキャリアを指示する。例えば、メッセージには、例えば、［７８、１２９、３４３、３５５等］のようなサブキャリアインデックスのリストが含まれる。これに代えて、例えば、（上記実施例で説明したように）メッセージに、少なくとも一つのＮの値を含めることができる。例えば、ＬＰＭのときにＮ＝１０の場合、１０番目毎のサブキャリアが送信される。これに代えて、例えば、メッセージに、（上記実施例で説明したように）少なくとも一つのＮの値、および割り当てのための少なくとも一つの開始サブキャリアインデックスを含めることができる。例えば、Ｎ＝１０で、ＬＰＭのときにインデックス３３、４３、５３、．．．を有するサブキャリアを使用すべきことを指示する３３に開始周波数インデックスを設定することができる。これに代えて、例えば、（上記実施例で説明したように）メッセージに、少なくとも一つのＮの値と、少なくとも一つの開始サブキャリアインデックスと、少なくとも一つの終了サブキャリアインデックスとを含めることができる。例えば、Ｎ＝１０で、３３を開始周波数インデックスとし、１００を終了サブキャリアインデックスとし、ＬＰＭのときにインデックス３３、４３、５３、．．．、８３、９３を有するサブキャリアを使用すべきことを指示することができる。一般に、サブキャリアインデックスのアレイから値のサブセットを定義する任意のアルゴリズム法を用いて、メッセージ内で送出されるサブキャリアのサブセットを定義することができる。
【００７９】
ＣＰＥモデムまたは最終ユーザがＬＰＭのときに使用すべきサブキャリアのサブセットを定義する場合、ＣＰＥモデムからＣＯへその情報を送出することができる。メッセージに含まれる情報は、ＬＰＭのときにどのサブキャリアを使用すべきかを指示する。ッセージに、例えば、［７８、１２９、３４３、３５５等］のようなサブキャリアインデックスのリストを含めることができる。これに代えて、例えば、（上記実施例で説明したように）メッセージには、少なくとも一つのＮの値を含めることができる。例えば、ＬＰＭのときにＮ＝１０の場合、１０番目毎にサブキャリアを送信する。代替として、例えば、メッセージに、少なくとも一つのＮの値（上記実施例で説明したように）、および割り当てのための少なくとも一つの開始サブキャリアインデックスを含めることができる。例えば、Ｎ＝１０で、開始周波数インデックスを３３にセットし、ＬＰＭのときにインデックス３３、４３、５３、．．．を有するサブキャリアを使用すべきことを指示することができる。これに代えて、例えば、（上記実施例で説明したように）メッセージに、少なくとも一つのＮの値と、少なくとも一つの開始サブキャリアインデックスと、少なくとも一つの終了サブキャリアインデックスとを含めることができる。例えば、Ｎ＝１０で、開始周波数インデックスを３３に設定し終了サブキャリアインデックスを１００に設定し、ＬＰＭのときにインデックス３３、４３、５３、．．．、８３、９３を有するサブキャリアを使用すべきことを指示することができる。一般に、サブキャリアインデックスのアレイから値のサブセットを定義する任意のアルゴリズム法を用いて、メッセージ内で送出されるサブキャリアのサブセットを定義することができる。
【００８０】
更に、サブキャリアスイープＬＰＭの場合、スイープ時間をメッセージ内で交換する必要がある。スイープ時間は、例えば、秒、ＤＭＴシンボル等で定義することができる。
【００８１】
これらのメッセージは、初期化および／またはショータイム中に送出することができる。送受信機が、初期化中のＳＮＲまたは雑音レベルを測定するためにこの情報を必要とする場合、メッセージを送出してから、初期化中のＳＮＲまたは雑音レベルを受信モデムが測定する必要がある。この場合、メッセージを初期化のＧ．ｈｓまたはチャンネル発見段階の間に送出することができる。
【００８２】
更に、ＬＰＭのときに使用されるサブキャリアは、ショータイムまたは初期化中に更新または修正することができる。例えば、第一メッセージを送出してＬＰＭのときに使用すべきサブキャリアの第一サブセットを定義し、次いで、第二メッセージを送出してＬＰＭのときに使用されるサブキャリアの第二サブセットを定義することができる。例えば、第一メッセージは、開始インデックス３３と、ＬＰＭのときにサブキャリア番号３３から開始して１０番目毎のキャリアを送信すべきことを指示するＮ＝１０の値とにより、第一サブセットを定義できる。第二メッセージは、開始インデックス３４と、ＬＰＭのときにサブキャリア番号３４から開始して１１番目毎のキャリアを送信すべきことを指示するＮ＝１１の値とにより、第二サブセットを定義できる。
【００８３】
ＬＰＭのときのサブキャリアのサブセットのビット割り当て値の定義
ＬＰＭのときの各サブキャリアのビット割り当て値（すなわち、サブキャリア上で送信されるビット数）は、受信モデム、送信モデム、ＵＳとＤＳ両方のＣＯモデム、ＵＳとＤＳ両方のＣＰＥモデム、サービスプロバイダまたは最終ユーザが定義することができる。
【００８４】
一実施の形態では、受信モデムがビット割り当て値を決定する。したがって、ＣＰＥモデムが、ＤＳ方向のビット割り当て値を決定し、かつ／またはＣＯモデムがＵＳ方向のビット割り当て値を決定する。一実施形態では、受信機は、ＦＰＭ動作のときに使用されたものと同一のビット割り当て値を使用できる。この場合、受信モデムはビット割り当て値を送信モデムへ送信しなくてもよい。それらの値はＦＰＭ動作で使用されたものと同一だからである。これに代えて、受信モデムは、ＬＰＭのときに使用されるサブキャリアの値の新規ビット割り当てを定義してもよい。この場合、新規のビット割り当て値はメッセージ内で送信モデムへ通知される。これに代えて、ＦＰＭにあるときに使用されるビット数を所定のようにまたは取り決めたように低減させたビット割り当て値を定義することができる。例えば、ＦＰＭのときＢ＝８ビットのサブキャリアが、ＬＰＭのときＢ＝６ビットを用いることができるように、Ｂ＝２のビット低減とすることができる。この場合、受信モデムは送信モデムへビット割り当て値を送信しなくてもよい。ＦＰＭ動作で使用されたものからそれらの値を計算するからである。ただし、Ｂの値が受信モデムで決定される場合、Ｂの値をメッセージ内で通信してもよい。
【００８５】
他の実施形態では、送信モデムがビット割り当て値を決定する。したがって、ＣＰＥモデムは、ＵＳ方向のビット割り当て値を決定し、かつ／またはＣＯモデムがＤＳ方向のビット割り当て値を決定する。この場合、例えば、送信機は、ＦＰＭのときに使用されたものと同一のビット割り当て値を使用することができる。この場合、送信モデムはビット割り当て値を受信モデムへ送信しなくてもよい。それらの値はＦＰＭ動作で使用されたものと同一だからである。これに代えて、送信モデムはＬＰＭのときに使用されるサブキャリアの値の新規ビット割り当てを定義してもよい。この場合、新規のビット割り当て値は、メッセージ内で受信モデムへ通知される。これに代えて、ＦＰＭにあるときに使用されるビット数を所定のようにまたは取り決めたように低減させたビット割り当て値を定義することができる。例えば、ＦＰＭのときＢ＝８ビットのサブキャリアが、ＬＰＭのときＢ＝６ビットを用いることができるように、Ｂ＝２のビット低減とすることができる。この場合、送信モデムは受信モデムへビット割り当て値を送信しなくてもよい。ＦＰＭ動作で使用されたものからそれらの値を計算するからである。ただし、Ｂの値が送信モデムで決定される場合、Ｂの値をメッセージ内で通信してもよい。
【００８６】
他の実施形態では、サービスプロバイダがビット割り当て値を決定する。サービスプロバイダがビット割り当て値を直接定義するのは実用的でないが、サービスプロバイダは、ＦＰＭ動作からのビット割り当て値の低減を構成可能であることから、ＬＰＭビット割り当て値を構成することにより間接的にビット割り当て値を定義できる。例えば、サービスプロバイダは上記説明のようにＢの値を構成できる。更に、サービスプロバイダは、ＬＰＭに対して最低限要求されるデータレートを管理インターフェースを介して構成できる。
【００８７】
場合によって、低電力モード状態のときのサブキャリアのビット割り当て値がゼロ、すなわち、そのサブキャリア上でビットが送信されないこともある。これは、例えば、ビット低減値Ｂが２に設定され、かつ、サブキャリアがショータイムの間にビット割り当て値２を持つ場合に起こることがある。この場合、この特別なサブキャリアのビット割り当て値は、ＬＰＭのとき０に設定される。これらの条件では、このサブキャリア上で信号を送信するために非データ伝送ＰＲＢＳ値をこのサブキャリアに割り当てることができる。これに代えて、ＬＰＭのときにはこのサブキャリアを送信しないようにしてもよい。これに代えて、このサブキャリアをビット低減値Ｂ減少させずに、ＬＰＭのとき、ビット割り当て値２をそのまま使用するようにしてもよい。
【００８８】
例示のＬＰＭの方法
ＬＰＭ構成とシステム動作方法を例示する。この実施例では、サービスプロバイダがＬＰＭのときに使用すべきサブキャリアを構成し、受信モデムが低電力モード状態のときのビット割り当て値を決定する。
【００８９】
このＬＰＭの例示の方法では、サービスプロバイダがＡＤＳＬ２＋サービスを構成して本発明で説明するＬＰＭを用いる。ＡＤＳＬ２＋サービスは、アップストリーム（ＵＳ）送信のためにサブキャリア６〜３２を使用し、ダウンストリーム（ＤＳ）送信のためにサブキャリア３３〜５１１を使用する。サービスプロバイダは、管理インターフェース（例えば、ＭＩＢ）を介して、例えば、ＵＳとＤＳの両方向にＮ＝１０番目毎のサブキャリアをＬＰＭ用に使用すべきとするよう構成することができる。この構成では、ＵＳ ＬＰＭ用に以下のサブキャリア番号：６、１６、２６を用いることができる。同様に、以下のサブキャリア番号：３３、４３、５３、．．．４９３、５０３をＤＳ ＬＰＭ用に使用できる。更に、使用される可能性がある全てのＤＳサブキャリアに対する測定値を得るために、最後のサブキャリア５１１をＬＰＭに割り当てることができる。これに代えて、サービスプロバイダは、管理インターフェース（例えば、ＭＩＢ）を介して、例えば、ＵＳとＤＳの両方向にＮ＝１０番目毎のサブキャリアをＬＰＭ用に使用すべきとするよう、かつＵＳとＤＳの両方にインデックス用の開始サブキャリアを、例えば、サブキャリア＃１０とすべきとするよう構成することができる。
【００９０】
この構成では、ＵＳサブキャリア１０、２０および３０は、ＵＳ ＬＰＭ用に使用され、ＤＳサブキャリア４０、５０、６０、．．．、４９０、５００、５１０は、ＤＳ ＬＰＭ用に使用される。これに代えて、サービスプロバイダは、例えば、ＵＳ用に［６、１３、１８、２４、３２］、ＤＳ用に［３３、５３、７４、９５、１２０、１５０、２２０、２８３、３３２、４４２、５１０］等のサブキャリアのプログラム可能リストを用いてＬＰＭのサブキャリアを構成することができる。
【００９１】
ＬＰＭのときに使用すべきサブキャリアを構成した後、ＣＯ送受信機は、ＬＰＭのときにどのＤＳサブキャリアを使用すべきであるかを指示するメッセージを、（初期化および／またはショータイム中に）ＣＰＥ送受信機に送出する。このメッセージには、例えば、（上記実施例で説明したような）リストおよび／または値Ｎ、および／または開始および／または終了サブキャリアを含む値Ｎを有するＬＰＭサブキャリアを指示する情報を含めることができる。
【００９２】
ＣＰＥ受信機は、ＣＯ送受信機が送出するメッセージを受信し、ＤＳ ＬＰＭサブキャリアのビット割り当て値を指示するメッセージをＣＯ送受信機へ送り返す。したがって、ＬＰＭに入ると、ＣＯ送信機はＣＰＥ送受信機からのメッセージで通知されたビット割り当て値を用いて送信する。
【００９３】
同様に、ＵＳ方向に対して、ＣＯ送受信機は、ＵＳ ＬＰＭサブキャリアのビット割り当て値を指示するメッセージを（初期化および／またはショータイム中に）ＣＰＥ送受信機へ送出する。したがって、ＬＰＭに入ると、ＣＰＥ送信機はＣＯ送受信機からのメッセージで通知されたビット割り当て値を用いて送信する。
【００９４】
初期化および／またはショータイム中にＳＮＲおよび／または雑音レベルを測定すると、受信モデムは、最初にＬＰＭサブキャリアのＳＮＲおよび／または雑音レベルを測定し、次いで、この情報を用いて中間サブキャリアのＳＮＲまたは雑音レベルを決定／推定する。したがって、例えば、サービスプロバイダがＵＳ ＬＰＭに対してＵＳサブキャリア６、１６、２６、３２を構成した場合、ＣＯ受信機は、サブキャリア６、１６、２６、３２のＳＮＲおよび／または雑音レベルを測定し、この情報を用いて中間サブキャリア７〜１５、１７〜２６、２７〜３１のＳＮＲおよび／または雑音レベルを決定する。同様に、ＣＰＥ受信機はサービスプロバイダが定義したＤＳ ＬＰＭサブキャリアに対して同じことを行う。
【００９５】
ＬＰＭのときのクロストークモデム存在の判定
受信機は、ＦＰＭのときに使用される全てのサブキャリアのＳＮＲを測定し、クロストークモデムによってＬＰＭに使用されるサブキャリアの雑音レベルが増加（および／またはＳＮＲが減少）しているかどうかを検出することにより、クロストークモデムがＬＰＭにあるかどうかを判定することができる。例えば、ＬＰＭのときにサブキャリア１０、２０、３０を使用した場合、受信機は、サブキャリア１０〜３０のＳＮＲを測定し、１１〜１９および２１〜２９と比較してサブキャリア１０、２０、３０のＳＮＲが著しく増加していた場合、受信機は、クロストークモデムがＬＰＭにあるということを把握できる。この場合、受信機が、サブキャリア１０、２０、３０の測定を用いて、中間サブキャリア（すなわち、１１〜１９および２１〜２９）のＳＮＲおよび／または雑音レベルを推定することになる。他方、ＬＰＭサブキャリア１０、２０、３０のＳＮＲの方が高くなかった場合、受信モデムは、ＬＰＭにある他のクロストークモデムが存在しないことが把握でき、中間サブキャリア（すなわち、１１〜１９および２１〜２９）を含む全てのサブキャリアのＳＮＲおよび／または雑音レベルを直接測定することができる。このように、クロストークモデムがＬＰＭに入ったり抜けたりしても、受信モデムは変動クロストークの影響を受けないということが把握できる。
【００９６】
したがって、このＬＰＭは受信モデムにより検出可能なので、受信モデムはＳＮＲおよび／または雑音レベルを測定して、ＬＰＭを出入りするクロストークモデムにより起こる変動クロストークの存在下においても、エラーがなく安定した動作をするビット割り当てテーブルを決定できる。
【００９７】
ＬＰＭには変動クロストークを低減するための時間的制約が不要
従来のＬＰＭは、バインダ内の他のＤＳＬ接続の動作を乱す変動（非定常）クロストークをもたらす。そのため、従来のＬＰＭでは、ＬＰＭからＦＰＭへ移行する一日における回数を減少させるために、送受信機がＦＰＭからＬＰＭへ如何に早く入ることができるかを制限する時間的制約が要求される。
【００９８】
本発明によるＬＰＭの実施例の利点の一つは、ＬＰＭが、ＬＰＭに出入りするための時間的制約を必要としないということであり、その理由は、バインダ内のクロストーク送受信機の電力モード状態に依存しないＳＮＲおよび／または雑音レベルを測定する方法をＬＰＭが提供するからである。さらに、受信モデムは、上記のように、他の送受信機がＬＰＭにあるかどうかを検出することができる。
【００９９】
したがって、例えば、このＬＰＭにより、本システムの変動クロストークの量を低減させるために与えられる時間的制約を受けることなく、モデムがＬＰＭに入ったり抜けたりすることを可能となる。
【０１００】
図３に、ＳＮＲを測定し、低電力モードに入る例示の方法の概要を示す。特に、制御はステップＳ３００で開始され、ステップＳ３１０へと続く。ステップＳ３１０で、低電力モードのときの送信用として規定されたキャリア上でＳＮＲが測定される。次に、ステップＳ３２０で、送信用として規定されていないキャリアのＳＮＲが推定される。次いで、ステップＳ３３０において、測定ＳＮＲおよび推定ＳＮＲのいずれかまたは両方が、初期化かショータイムＯＬＲのいずれかまたは両方のときに、ビットを読み込むために使用される。次いで、制御はステップＳ３４０へと続く。
【０１０１】
ステップＳ３４０では、ＬＰＭのときの送信用として規定されたキャリアを用いて通信が開始される。次いで、制御シーケンスが終了するステップＳ３５０へと制御は続く。
【０１０２】
図４に、雑音レベルに基づいて低電力モードに入る例示の方法の概略を示す。詳細には、制御はステップＳ４００で開始され、ステップＳ４１０へと続く。ステップＳ４１０において、ＬＰＭのときの送信用として規定されたサブキャリアの雑音レベルが測定される。次に、ステップＳ４２０において、ＬＰＭのときの送信用として規定されたキャリアのＳＮＲが測定される。次いで、ステップＳ４３０では、ＬＰＭのときの送信用として規定されていないキャリアの雑音レベルが推定される。次いで、制御はステップＳ４４０へと続く。
【０１０３】
ステップＳ４４０では、初期化かショータイムのいずれかまたは両方のときに、送信用に規定されていないサブキャリアに対して受信した信号電力レベル（Ｐｉ）が測定される。次いで、制御はステップＳ４５０へと続く。
【０１０４】
ステップＳ４５０では、Ｐｉおよび推定した雑音レベルを用いて送信用として規定されていないキャリアのＳＮＲが推定される。次に、ステップＳ４６０では、ＬＰＭサブキャリア上のＳＮＲおよび／または送信用として規定されていないキャリアの推定ＳＮＲが、初期化かショータイムのいずれかまたは両方のときに、ビット読込みのために使用される。次いで、制御シーケンスが終了するステップＳ４７０へと制御は続く。
【０１０５】
図５は、低電力モードへ入り、低電力モードから抜けるのを許可するＣＯとＣＰＥとの間で交換されるメッセージを説明する例示のフェンスポストダイヤグラムである。詳細には、ＣＯにおいてはステップＳ５００で制御が開始され、ＣＰＥにおいてはステップＳ５１０で開始される。ＣＯの観点からは、ステップＳ５０５において、低電力モードのときに使用すべきキャリアが識別される。上記のように、これらのキャリアの識別は、多くの異なる要素により、一つ以上の異なる基準に基づいて実行することができる。次に、ＣＯからＣＰＥへ低電力モードでどのダウンストリームキャリアを使用すべきかを規定するメッセージが送出される。次いで、ＣＯは、ダウンストリーム低電力モードサブキャリアのビット割り当て値のメッセージを受信する。次いで、ＣＯは低電力モードに入り、ステップＳ５１５において、ＣＰＥからのメッセージで通知されたビット割り当て値を用いて送信する。
【０１０６】
アップストリームサブキャリアも低電力モードに入りたいという要望がある場合、ＣＯは、アップストリーム低電力モードサブキャリアのビット割り当て値のメッセージをＣＰＥに送出する。低電力モードでの送信は、低電力モードを抜けるというメッセージがＣＯからＣＰＥへ送出されるまで続く。このとき、ＣＯは、例えば、全電力モード用のビット割り当て値を用いる送信に切り換えて戻ることができ、再初期化して新規のビット割り当て値を決定するか、または何らかの他の所定のビット割り当て値を用いて送信することができる。次いで、制御シーケンスが終了するステップＳ５３５へと制御は続く。
【０１０７】
ＣＰＥの方からみると、どのダウンストリームサブキャリアを低電力モードで使用すべきかのメッセージをＣＯから受信し、ステップＳ５２０において、ビット割り当て値が決定される。ダウンストリームの低電力モードサブキャリアのビット割り当て値を持つメッセージがＣＯへ通知される。アップストリームサブキャリアでも低電力モードを使用すべき場合、ＣＰＥはメッセージを受信し、ステップＳ５３０においてＣＰＥは低電力モードに入り、ＣＯからのメッセージで通知されたビット割り当て値を用いて送信を開始する。低電力モードから出るには、ＣＰＥからＣＯへメッセージを送出して、ＣＯと同様に、ＦＰＭの送信に戻るのに、例えば、低電力モードに入る前に全電力モード用のビット割り当て値を用いて、初期化し、新規ビット割り当て値を決定することができ、または何らかの他の所定のビット割り当て値を用いて送信することができる。全電力モード通信はステップＳ５４０において開始され、制御シーケンスが終了するステップＳ５５０へと制御が続く。
【０１０８】
上記フロー図では特定のイベントシーケンスに関して説明してきたが、言うまでもなく、本発明の動作に実質的に影響を与えることなくこのシーケンスに対する変更を行うことができる。更に、正確なイベントシーケンスは例示の実施の形態で説明した通りでなくてもよく、そのステップは通信システム内の一送受信機または他の送受信機が初期化で使用される手法を認識している場合、両送受信機で実行することができる。更に、本明細書で説明した例示の技術は、詳細に説明した実施の形態に制限されず、他の例示の実施の形態で利用することもでき、説明した各特徴は個々に、かつ別々にクレームとすることができるものである。
【０１０９】
ＤＳＬモデム、ｘＤＳＬモデム、ＶＤＳＬモデム、ラインカード、電力線モデム、有線または無線モデム、試験装置、マルチキャリア送受信機、有線および／または無線の広域／ローカルエリアネットワークシステム、衛星通信システム、ＩＰ、イーサネット（商標）またはＡＴＭシステム等の、ネットワークベース通信システム、診断能力を備えるモデム等の有線および／または無線の遠隔通信装置上、または通信装置を有するか、もしくは以下の通信プロトコル：ＣＤＳＬ、ＡＤＳＬ２、ＡＤＳＬ２＋、ＶＤＳＬ１、ＶＤＳＬ２、ＨＤＳＬ、ＤＳＬライト、ＩＤＳＬ、ＲＡＤＳＬ、ＳＤＳＬ、ＵＤＳＬ等の内の少なくともいずれかと関連している別体のプログラムされた汎用コンピュータ等に実装することができる。
【０１１０】
更に、本発明のシステム、方法およびプロトコルは、専用コンピュータ、プログラムマイクロプロセッサつまりマイクロコントローラ、および周辺の集積回路素子、ＡＳＩＣや他の集積回路、デジタル信号プロセッサ、ディスクリート部品回路のような結線された電子回路やロジック回路、ＰＬＤ、ＰＬＡ、ＦＰＧＡ、ＰＡＬ、モデム、送信機／受信機、任意の同等の手段等の上に実装することができる。本明細書で説明した方法論を実装可能な状態マシンを実装できる任意の装置を用いて、本発明による各種通信方法、プロトコルおよび技術を実装することができる。
【０１１１】
更に、開示の方法は、各種のコンピュータまたはワークステーションプラットフォーム上で使用できる移植可能なソースコードを提供するオブジェクトまたはオブジェクト指向ソフトウエア開発環境を用いたソフトウエアで直ちに実装することができる。これに代えて、本開示システムは、標準ロジック回路またはＶＳＬＩ設計を用いてハードウエアに部分的または全体的に実装してもよい。本発明によるシステムを実装するのにソフトウエアを用いるかハードウエアを用いるかは、本システムの速度および／または効率の要件、特定の関数、および特定のソフトウエアまたはハードウエアのシステムまたはマイクロプロセッサまたは利用するマイクロコンピュータシステムに依存する。本明細書で説明する通信システム、方法およびプロトコルは、既知のまたは今後開発されるシステムもしくは構造、装置および／またはソフトウエアを用いて、本明細書で提供される機能説明から、かつコンピュータ技術および遠隔通信技術の一般的な基本知識により、当該応用分野の技術者がハードウエアおよび／またはソフトウエアで直ちに実装することができる。
【０１１２】
更に、開示の方法は、例えば、プロセッサが実行でき、コンピュータで読取り可能な格納媒体に格納できる命令を含み、コントローラおよびメモリと協働するプログラム化汎用コンピュータ、専用コンピュータ、マイクロプロセッサ等の上で実行されるソフトウエアで直ちに実装することができる。これらの事例では、本発明のシステムおよび方法は、アプレット、ＪＡＶＡ（商標）またはＣＧＩスクリプトのようなパソコンに組み込まれるプログラムとして、サーバまたはコンピュータワークステーションに常駐するリソースとして、専用の通信システムまたはシステムコンポーネントに組み込まれるルーチン等として、実装することができる。本システムは、通信送受信機のハードウエアおよびソフトウエアシステム等の、ソフトウエアおよび／またはハードウエアシステムに、本システムおよび／または方法を物理的に組み込むことにより実装することもできる。
【０１１３】
したがって、通信環境で電力を節減するシステムおよび方法が、本発明により提供されたのは明らかである。本発明を幾つかの実施の形態との関連で説明したが、言うまでもなく、多くの代替法、改変、修正および変形が当該応用分野の技術者には周知であろう。したがって、本発明の精神および範囲内にある全てのかかる代替法、改変、等価物および変形を包含するよう意図している。
【図１】
2011504709.tif 000003
【図２】
2011504709.tif 000004
【図３】
2011504709.tif 000005
【図４】
2011504709.tif 000006
【図５】
2011504709.tif 000007
【国際調査報告】
2011504709.tif 000008
2011504709.tif 000009
2011504709.tif 000010
2011504709.tif 000011
2011504709.tif 000012